(57)【特許請求の範囲】
【請求項１】
長方形の形状からなり、該長方形を構成する４辺のうち互いに対向する２辺に沿う領域に両端部を具備するアンテナが形成されたＲＦ−ＩＤメディアが収納されるＲＦ−ＩＤメディアホルダーであって、
重ね合わされた２枚のシート基材間に前記ＲＦ−ＩＤメディアが収納されるメディア収納領域が形成され、
前記２枚のシート基材のうち少なくとも一方のシート基材は、前記メディア収納領域に前記ＲＦ−ＩＤメディアが収納された場合に当該ＲＦ−ＩＤメディアの前記２辺に沿う領域に対向する領域に、長手方向が当該２辺に沿うような長孔を有するＲＦ−ＩＤメディアホルダー。
【請求項２】
請求項１に記載のＲＦ−ＩＤメディアホルダーにおいて、
前記長孔は、前記長手方向の長さが、前記メディア収納領域に収納されるＲＦ−ＩＤメディアの前記２辺の長さと同等であるＲＦ−ＩＤメディアホルダー。
【発明の詳細な説明】
【技術分野】
【０００１】
本発明は、非接触状態にて情報の書き込みや読み出しが可能なＲＦ−ＩＤメディアが収納されるＲＦ−ＩＤメディアホルダーに関する。
【背景技術】
【０００２】
昨今、情報化社会の進展に伴って、情報をカードに記録し、該カードを用いた情報管理や決済等が行われている。また、このようなカードは、情報管理や決済等の他にも、イベント等の来場者に配布して来場者管理を行ったり、従業員に配布して管理区域への入場制限を行ったりするためにも用いられている。また、近年においては、このようなカードとして、非接触状態にて情報の書き込み及び読み出しを行うことが可能なＩＣが搭載された非接触型ＩＣカードがその優れた利便性から急速な普及が進みつつある。
【０００３】
このようにカードを用いて来場者管理を行う場合や管理区域への入場制限を行う場合等においては、来場者や従業員等がカードを持ち歩くことになるため、カードを収納可能なホルダーにカードを収納し、このホルダーを首から吊り下げることが行われている（例えば、特許文献１参照。）。
【先行技術文献】
【特許文献】
【０００４】
【特許文献１】特開２０１０−１１８８１号公報
【発明の概要】
【発明が解決しようとする課題】
【０００５】
上述したような非接触型ＩＣカード等のＲＦ−ＩＤメディアは、外部に設けられたリーダ／ライタからのＵＨＦ帯やマイクロ波帯等の周波数を有する電波にアンテナが共振することによって情報が書き込まれたり読み出されたりするものであるため、そのアンテナの形状が、リーダ／ライタからの電波に共振する周波数に応じて設計されている。
【０００６】
ところが、上述したようにＲＦ−ＩＤメディアをホルダーに収納して用いる場合、ホルダーが樹脂等の誘電体で構成されていると、ＲＦ−ＩＤメディアのアンテナの周波数特性が低い周波数方向にシフトすることになる。そのため、アンテナの共振周波数が、リーダ／ライタにてＲＦ−ＩＤメディアに対して情報の書き込み及び読み出しに用いる周波数に対してずれてしまい、情報の書き込みや読み出しが可能な距離が短くなってしまう等、通信特性が低下してしまうという問題点がある。
【０００７】
本発明は、上述したような従来の技術が有する問題点に鑑みてなされたものであって、リーダ／ライタからの電波に共振して情報の書き込みや読み出しが行われるＲＦ−ＩＤメディアを収納した場合にＲＦ−ＩＤメディアの通信特性が低下することを回避できるＲＦ−ＩＤメディアホルダーを提供することを目的とする。
【課題を解決するための手段】
【０００８】
上記目的を達成するために本発明は、
長方形の形状からなり、該長方形を構成する４辺のうち互いに対向する２辺に沿う領域に両端部を具備するアンテナが形成されたＲＦ−ＩＤメディアが収納されるＲＦ−ＩＤメディアホルダーであって、
重ね合わされた２枚のシート基材間に前記ＲＦ−ＩＤメディアが収納されるメディア収納領域が形成され、
前記２枚のシート基材のうち少なくとも一方のシート基材は、前記メディア収納領域に前記ＲＦ−ＩＤメディアが収納された場合に当該ＲＦ−ＩＤメディアの前記２辺に沿う領域に対向する領域に、長手方向が当該２辺に沿うような長孔を有する。
【０００９】
上記のように構成された本発明においては、長方形のＲＦ−ＩＤメディアをメディア収納領域に収納すると、このＲＦ−ＩＤメディアの長方形を構成する４辺のうち、ＲＦ−ＩＤメディアに形成されたアンテナの両端部が沿う２辺に沿う領域に長孔が対向することになる。ここで、上述したようなＲＦ−ＩＤメディアの共振周波数のずれによる通信特性の低下は、アンテナの端部が誘電体に対向していなければそれ以外の領域が誘電体に対向していたとしてもほとんど生じない。そのため、アンテナの端部が長孔によって２枚のシート基材のうち少なくとも一方のシート基材に対向していないことにより、ＲＦ−ＩＤメディアを収納した場合であってもＲＦ−ＩＤメディアの通信特性の低下が回避されることになる。そして、長孔が、その長手方向がメディア収納領域に収納されるＲＦ−ＩＤメディアの長方形を構成する４辺のうち、ＲＦ−ＩＤメディアに形成されたアンテナの両端部が沿う２辺に沿うような形状であることにより、アンテナが形成される領域が、ＲＦ−ＩＤメディアの種類によってＲＦ−ＩＤメディアのその２辺に沿う方向にずれていても、アンテナの端部を長孔に対向させることができる。
【００１０】
また、長孔の長手方向の長さが、メディア収納領域に収納されるＲＦ−ＩＤメディアのその２辺の長さと同等であるようにすれば、ＲＦ−ＩＤメディアのその２辺以外の２辺のうち一方の辺に沿うようにアンテナが形成されたものと、ＲＦ−ＩＤメディアの他方の辺に沿うようにアンテナが形成されたもののいずれにおいても、アンテナの端部を長孔に対向させることができる。
【発明の効果】
【００１１】
以上説明したように本発明においては、長方形のＲＦ−ＩＤメディアが収納される収納領域を形成する２枚のシート基材のうち少なくとも一方のシート基材が、メディア収納領域にＲＦ−ＩＤメディアが収納された場合にそのＲＦ−ＩＤメディアの長方形を構成する４辺のうち、ＲＦ−ＩＤメディアに形成されたアンテナの両端部が沿う２辺に沿う領域に対向する領域に、長手方向がその２辺に沿うような長孔を有する構成としたため、ＲＦ−ＩＤメディアをメディア収納領域に収納した場合、アンテナの端部が長孔に対向することとなる。そして、ＲＦ−ＩＤメディアの共振周波数のずれによる通信特性の低下が、アンテナの端部が誘電体に対向していなければそれ以外の領域が誘電体に対向していたとしてもほとんど生じないものであることから、アンテナの端部が長孔によって２枚のシート基材のうち少なくとも一方のシート基材に対向していないことにより、ＲＦ−ＩＤメディアの通信特性が低下することを回避でき、また、長孔が、その長手方向がメディア収納領域に収納されるＲＦ−ＩＤメディアの長方形を構成する４辺のうち、ＲＦ−ＩＤメディアに形成されたアンテナの両端部が沿う２辺に沿うような形状であることにより、アンテナが形成される領域が、ＲＦ−ＩＤメディアの種類によってＲＦ−ＩＤメディアのその２辺に沿う方向にずれていても、アンテナの端部を長孔に対向させることができる。
【００１２】
また、長孔の長手方向の長さが、メディア収納領域に収納されるＲＦ−ＩＤメディアのその２辺の長さと同等であるものにおいては、ＲＦ−ＩＤメディアのその２辺以外の２辺のうち一方の辺に沿うようにアンテナが形成されたものと、ＲＦ−ＩＤメディアの他方の辺に沿うようにアンテナが形成されたもののいずれにおいても、アンテナの端部を長孔に対向させることができる。
【図面の簡単な説明】
【００１３】
【図１】本発明のＲＦ−ＩＤメディアホルダーに収納されるＲＦ−ＩＤメディアの一例を示す図であり、（ａ）は表面から見た内部構造を示す図、（ｂ）は（ａ）に示したＡ―Ａ’断面図である。
【図２】図１に示したアンテナ部が誘電体に対向した場合における周波数特性を説明するための図であり、（ａ）はアンテナ部が誘電体に対向していない状態を示す図、（ｂ）は（ａ）に示した状態におけるアンテナ部の周波数特性を示す図、（ｃ）はアンテナ部の中央部分が誘電体に対向している状態を示す図、（ｄ）は（ｃ）に示した状態におけるアンテナ部の周波数特性を示す図、（ｅ）はアンテナ部の端部が誘電体に対向している状態を示す図、（ｆ）は（ｅ）に示した状態におけるアンテナ部の周波数特性を示す図、（ｇ）はアンテナ部の端部が誘電体に対向している状態を示す図、（ｈ）は（ｇ）に示した状態におけるアンテナ部の周波数特性を示す図、（ｉ）はアンテナ部の両端部が誘電体に対向している状態を示す図、（ｊ）は（ｉ）に示した状態におけるアンテナ部の周波数特性を示す図である。
【図３】本発明のＲＦ−ＩＤメディアホルダーの実施の一形態を示す図であり、（ａ）は表面図、（ｂ）は（ａ）に示したＡ−Ａ’断面図、（ｃ）は裏面図である。
【図４】図３に示したＲＦ−ＩＤカードホルダーに図１に示した非接触型ＩＣカードが収納された状態を示す図である。
【図５】図３に示したＲＦ−ＩＤメディアホルダーに収納された非接触型ＩＣカードの取り出し方を説明するための図である。
【図６】シート基材に形成された長孔が、その長手方向がメディア収納領域に収納されるＲＦ−ＩＤメディアの長辺方向両端部に沿うような形状であることによる効果を説明するための図である。
【図７】本発明のＲＦ−ＩＤメディアホルダーの他の実施の形態を示す図であり、（ａ）は表面図、（ｂ）は（ａ）に示したＡ−Ａ’断面図、（ｃ）は裏面図である。
【図８】図７に示したＲＦ−ＩＤメディアホルダーにＲＦ−ＩＤメディアが収納された状態を示す図である。
【発明を実施するための形態】
【００１４】
以下に、本発明の実施の形態について図面を参照して説明する。
【００１５】
まず、本発明のＲＦ−ＩＤメディアホルダーに収納されるＲＦ−ＩＤメディアについて説明する。
【００１６】
図１は、本発明のＲＦ−ＩＤメディアホルダーに収納されるＲＦ−ＩＤメディアの一例を示す図であり、（ａ）は表面から見た内部構造を示す図、（ｂ）は（ａ）に示したＡ―Ａ’断面図である。
【００１７】
本例は図１に示すように、長方形の樹脂シート４上に、２つのメアンダパターン２ａ，２ｂ及び導電領域２ｃ，２ｄ、並びに短絡部２ｅが形成されるとともに、ＩＣチップ３が搭載されてなるインレット５が、２枚のカード基材６ａ，６ｂに挟み込まれて構成された非接触型ＩＣカード１００である。ＩＣチップ３は、樹脂シート４の長辺方向中央部分において、樹脂シート４上に塗布されたＡＣＰ等の導電性の接着剤（不図示）によって樹脂シート４に接着されており、裏面に設けられた外部接続端子（不図示）がメアンダパターン２ａ，２ｂの端部とそれぞれ接触することにより、メアンダパターン２ａ，２ｂと電気的に接続されている。メアンダパターン２ａ，２ｂは、一端がＩＣチップ３に接続され、このＩＣチップ３が搭載された樹脂シート４の長辺方向中央部分から両端部に向かってジグザグ状に延びている。導電領域２ｃ，２ｄは、樹脂シート４の長辺方向両端部に形成され、樹脂シート４の長辺方向中央部分からジグザグ状に延びたメアンダパターン２ａ，２ｂの他端に接続されている。短絡部２ｅは、メアンダパターン２ａ，２ｂのＩＣチップ３が接続された領域の近傍において、メアンダパターン２ａ，２ｂの一部とＩＣチップ３とからなる導通経路と並列に接続されている。そして、これら２つのメアンダパターン２ａ，２ｂと２つの導電領域２ｃ，２ｄと短絡部２ｅとからアンテナ部２が構成されている。すなわち、アンテナ部２は、樹脂シート４の長方形の４辺のうち互いに対向する２辺に沿う領域に両端部を具備するように形成されている。
【００１８】
上記のように構成された非接触型ＩＣカード１００は、外部に設けられたリーダ／ライタ（不図示）に近接させることにより、リーダ／ライタからの電波にアンテナ部２が共振して電流が流れ、この電流がＩＣチップ３に供給され、それにより、非接触状態において、リーダ／ライタからＩＣチップ３に情報が書き込まれたり、ＩＣチップ３に書き込まれた情報がアンテナ部２を介してリーダ／ライタにて読み出されたりする。そのため、２つのメアンダパターン２ａ，２ｂ及び導電領域２ｃ，２ｄ、並びに短絡部２ｅの形状が、インレット５がカード基材６ａ，６ｂに挟み込まれた状態でリーダ／ライタからの電波に共振する周波数に応じて設計されている。
【００１９】
図２は、図１に示したアンテナ部２が誘電体に対向した場合における周波数特性を説明するための図であり、（ａ）はアンテナ部２が誘電体に対向していない状態を示す図、（ｂ）は（ａ）に示した状態におけるアンテナ部２の周波数特性を示す図、（ｃ）はアンテナ部２の中央部分が誘電体に対向している状態を示す図、（ｄ）は（ｃ）に示した状態におけるアンテナ部２の周波数特性を示す図、（ｅ）はアンテナ部２の端部が誘電体に対向している状態を示す図、（ｆ）は（ｅ）に示した状態におけるアンテナ部２の周波数特性を示す図、（ｇ）はアンテナ部２の端部が誘電体に対向している状態を示す図、（ｈ）は（ｇ）に示した状態におけるアンテナ部２の周波数特性を示す図、（ｉ）はアンテナ部２の両端部が誘電体に対向している状態を示す図、（ｊ）は（ｉ）に示した状態におけるアンテナ部２の周波数特性を示す図である。
【００２０】
図１に示した非接触型ＩＣカード１００においては、上述したように、２つのメアンダパターン２ａ，２ｂ及び導電領域２ｃ，２ｄ、並びに短絡部２ｅの形状が、インレット５がカード基材６ａ，６ｂに挟み込まれた状態でリーダ／ライタからの電波に共振する周波数に応じて設計されている。そのため、図２（ａ）に示すようにアンテナ部２が誘電体に対向していない状態においては、図２（ｂ）に示すように、その共振周波数が、リーダ／ライタからの電波に共振する周波数ｆ0となっている。
【００２１】
これに対して、アンテナ部２が誘電体に対向している状態における周波数特性を測定した。
【００２２】
その結果、図２（ｃ）に示すようにアンテナ部２の中央部分、すなわち、アンテナ部２の端部を含まない領域が誘電体７に対向している場合は、アンテナ部２が誘電体に対向していない状態に対してその共振周波数がずれることなく、図２（ｄ）に示すように、リーダ／ライタからの電波に共振する周波数ｆ0となっている。
【００２３】
そして、誘電体７をアンテナ部２の端部側にずらしていき、図２（ｅ）に示すように誘電体７が導電領域２ｃにかかると、その共振周波数がずれ、図２（ｆ）に示すように、リーダ／ライタからの電波に共振する周波数ｆ0とは異なるｆ1となる。これは、導電領域２ｃがＩＣチップ３側に折り返していることにより、折り返した端部がアンテナ部２の端部となるためである。
【００２４】
そして、誘電体７をアンテナ部２の端部側にさらにずらしていき、図２（ｇ）に示すようにアンテナ部２の端部となる導電領域２ｃが全て誘電体７に対向している場合においても、図２（ｈ）に示すように、その共振周波数はリーダ／ライタからの電波に共振する周波数ｆ0とは異なるｆ1となる。
【００２５】
また、図２（ｉ）に示すように、アンテナ部２の両端部に誘電体７を対向させた場合は、図２（ｊ）に示すように、その共振周波数がさらに大きくずれ、リーダ／ライタからの電波に共振する周波数ｆ0とは異なるｆ2となる。
【００２６】
このように、アンテナ部２が誘電体７に対向することにより共振周波数がずれて非接触型ＩＣカード１００の通信特性が低下する現象は、アンテナ部２の端部が誘電体７に対向していなければそれ以外の領域が誘電体７に対向していたとしてもほとんど生じないことがわかった。そこで、本願出願人は、このような現象を鑑みて、図１に示した非接触型ＩＣカード１００のようなＲＦ−ＩＤメディアをその通信特性を低下させることなく収納するＲＦ−ＩＤメディアホルダーの形状を鋭意研究した。
【００２７】
図３は、本発明のＲＦ−ＩＤメディアホルダーの実施の一形態を示す図であり、（ａ）は表面図、（ｂ）は（ａ）に示したＡ−Ａ’断面図、（ｃ）は裏面図である。
【００２８】
本形態は図３に示すように、透明な樹脂等からなる長方形の２枚のシート基材１０ａ，１０ｂが重ね合わされてその３辺が貼り合わせ部１２となって貼り合わされることにより、残りの１辺が開口部１４として開口したものであって、この開口部１４から２枚のシート基材１０ａ，１０ｂ間に、図１に示した非接触型ＩＣカード１００のような長方形のＲＦ−ＩＤメディアが収納されるメディア収納領域１５が形成されている。また、このＲＦ−ＩＤメディアホルダーを首等から吊り下げるための吊り下げ部１３が設けられている。なお、貼り合わせ部１２における２枚のシート基材１０ａ，１０ｂの貼り合わせは、粘着剤等の接着手段を用いてもよいし、シート基材１０ａ，１０ｂどうしを熱等によって溶着してもよい。
【００２９】
２枚のシート基材１０ａ，１０ｂは、メディア収納領域１５に収納されるＲＦ−ＩＤメディアよりも一回り大きな形状を有しており、それにより、貼り合わせ部１２を設けた状態においては、メディア収納領域１５の形状がこのメディア収納領域１５に収納されるＲＦ−ＩＤメディアと略同一の形状となっている。なお、この略同一の形状とは、メディア収納領域１５に開口部１４からＲＦ−ＩＤメディアが収納可能な程度のものを言う。すなわち、メディア収納領域１５の形状も長方形となっている。また、シート基材１０ａ，１０ｂのそれぞれには、メディア収納領域１５の短辺に沿って、その長手方向が短辺方向の全幅に渡るような長孔１１ａ，１１ｂが形成されている。すなわち、この長孔１１ａ，１１ｂは、メディア収納領域１５に図１に示した非接触型ＩＣカード１００のようなアンテナ部２が形成された長方形のＲＦ−ＩＤメディアが収納された場合に、そのＲＦ−ＩＤメディアの長方形の４辺のうちアンテナ部の両端部が沿う２辺に沿う領域に対向する領域において、その長手方向がＲＦ−ＩＤメディアのその２辺に沿うような形状、具体的にはＲＦ−ＩＤメディアの長辺方向両端部に沿うような形状となって形成されていることになる。また、シート基材１０ａ，１０ｂは、湾曲可能な柔らかい材質のものであってもよいし、硬質プラスチック等からなる硬い材質のものであってもよい。
【００３０】
以下に、上記のように構成されたＲＦ−ＩＤメディアホルダー１にＲＦ−ＩＤメディアを収納した場合の作用について、図１に示した非接触型ＩＣカード１００を収納した場合を例に挙げて説明する。
【００３１】
図４は、図３に示したＲＦ−ＩＤカードホルダー１に図１に示した非接触型ＩＣカード１００が収納された状態を示す図である。
【００３２】
図３に示したＲＦ−ＩＤカードホルダー１に図１に示した非接触型ＩＣカード１００を収納する場合は、２枚のシート基材１０ａ，１０ｂが貼り合わされていない開口部１４から非接触型ＩＣカード１００を２枚のシート基材１０ａ，１０ｂ間に挿入していき、メディア収納領域１５に収納する。メディア収納領域１５は、非接触型ＩＣカード１００と略同一の形状となっていることから、非接触型ＩＣカード１００は、メディア収納領域１５に収納された状態で固定される。
【００３３】
非接触型ＩＣカード１００がメディア収納領域１５に収納された状態においては、シート基材１０ａ，１０ｂに形成された長孔１１ａ，１１ｂが、メディア収納領域１５の短辺に沿って、その長手方向が短辺方向の全幅に渡るように形成されているため、図４に示すように、メディア収納領域１５に収納された非接触型ＩＣカード１００のアンテナ部２の端部となる導電領域２ｃ，２ｄに長孔１１ａ，１１ｂが対向することになる。
【００３４】
そのため、メディア収納領域１５に収納された非接触型ＩＣカード１００に形成されたアンテナ部２においては、端部以外の領域がシート基材１０ａ，１０ｂに対向しているものの、その端部はシート基材１０ａ，１０ｂに対向していない状態となる。
【００３５】
ここで、非接触型ＩＣカード１００に形成されたアンテナ部２においては、図２に示したように、共振周波数のずれによる通信特性の低下が、アンテナ部２の端部が誘電体に対向していなければそれ以外の領域が誘電体に対向していたとしてもほとんど生じないものであることから、図４に示したように、メディア収納領域１５に収納された非接触型ＩＣカード１００に形成されたアンテナ部２の端部がシート基材１０ａ，１０ｂに対向していない状態においては、共振周波数のずれが生じることがなくなり、通信特性の低下を回避することができる。
【００３６】
このように、本形態のＲＦ−ＩＤメディアホルダー１に図１に示した非接触型ＩＣカード１００を収納した状態においては、非接触型ＩＣカード１００がＲＦ−ＩＤメディアホルダー１に収納されていない状態に対して、その共振周波数がずれることはなく、通信特性が低下することを回避できることになる。
【００３７】
また、シート基材１０ａ，１０ｂに形成された長孔１１ａ，１１ｂは、その後、ＲＦ−ＩＤメディアホルダー１に収納された非接触型ＩＣカード１００を取る出す際に利用することができる。
【００３８】
図５は、図３に示したＲＦ−ＩＤメディアホルダー１に収納された非接触型ＩＣカード１００の取り出し方を説明するための図である。
【００３９】
図３に示したＲＦ−ＩＤメディアホルダー１に収納された非接触型ＩＣカード１００は、シート基材１０ａ，１０ｂに形成された長孔１１ａ，１１ｂによってその一部が表出している。そのため、図５に示すように、その表出した部分を指で触れて開口部１４側に非接触型ＩＣカード１００をずらすことにより、非接触型ＩＣカード１００をＲＦ−ＩＤメディアホルダー１から取り出すことができる。
【００４０】
以下に、シート基材１０ａ，１０ｂに形成された長孔１１ａ，１１ｂが、その長手方向がメディア収納領域１５に収納されるＲＦ−ＩＤメディアの長辺方向両端部に沿うような形状であることによる効果について説明する。
【００４１】
図６は、シート基材１０ａ，１０ｂに形成された長孔１１ａ，１１ｂが、その長手方向がメディア収納領域１５に収納されるＲＦ−ＩＤメディアの長辺方向両端部に沿うような形状であることによる効果を説明するための図である。
【００４２】
本形態におけるＲＦ−ＩＤメディアホルダー１においては、上述したように、シート基材１０ａ，１０ｂに形成された長孔１１ａ，１１ｂが、その長手方向がメディア収納領域１５に収納されるＲＦ−ＩＤメディアの長辺方向両端部に沿うような形状となっている。
【００４３】
そのため、図６に示すように、図１に示した非接触型ＩＣカード１００に対してアンテナ部２の形成領域が非接触型ＩＣカード１の短辺方向にずれた非接触型ＩＣカード２００をＲＦ−ＩＤメディアホルダー１のメディア収納領域１５に収納した場合においても、メディア収納領域１５に収納された非接触型ＩＣカード２００のアンテナ部２の端部となる導電領域２ｃ，２ｄが長孔１１ａ，１１ｂに対向することになる。
【００４４】
このように、シート基材１０ａ，１０ｂに形成された長孔１１ａ，１１ｂが、その長手方向がメディア収納領域１５に収納されるＲＦ−ＩＤメディアの長辺方向両端部に沿うような形状であることにより、アンテナ部２が形成される領域が、メディア収納領域１５に収納されるＲＦ−ＩＤメディアの種類によってＲＦ−ＩＤメディアの長辺方向両端部に沿う方向にずれていても、アンテナ部２の端部を長孔１１ａ，１１ｂに対向させることができる。
【００４５】
さらに、本形態のＲＦ−ＩＤメディアホルダー１のように、シート基材１０ａ，１０ｂの長孔１１ａ，１１ｂが、メディア収納領域１５の短辺に沿って、その長手方向が短辺方向の全幅に渡るように形成されており、それにより、長孔１１ａ，１１ｂの長手方向の長さが、メディア収納領域１５に収納されるＲＦ−ＩＤメディアの短辺の長さと同等であれば、ＲＦ−ＩＤメディアの一方の長辺に沿うようにアンテナが形成されたものと、ＲＦ−ＩＤメディアの他方の長辺に沿うようにアンテナが形成されたもののいずれにおいても、アンテナの端部を長孔１１ａ，１１ｂに対向させることができるようになる。
【００４６】
（他の実施の形態）
図７は、本発明のＲＦ−ＩＤメディアホルダーの他の実施の形態を示す図であり、（ａ）は表面図、（ｂ）は（ａ）に示したＡ−Ａ’断面図、（ｃ）は裏面図である。
【００４７】
本形態は図７に示すように、図３に示したものに対して、長孔１１１ａ，１１１ｂが、メディア収納領域１５の長辺に沿って、その長手方向が長辺方向の全幅に渡るように形成されている点のみが異なるものである。
【００４８】
図８は、図７に示したＲＦ−ＩＤメディアホルダー１０１にＲＦ−ＩＤメディアが収納された状態を示す図である。
【００４９】
図７に示したＲＦ−ＩＤメディアホルダー１０１には、図８に示すように、図１に示した非接触型ＩＣカード１に対してアンテナ部２の向きが９０度回転した非接触型ＩＣカード３００が収納される。すなわち、図７に示したＲＦ−ＩＤメディアホルダー１０１においても、長孔１１１ａ，１１１ｂが、メディア収納領域１５に非接触型ＩＣカード３００が収納された場合に、非接触型ＩＣカード３００の長方形の４辺のうちアンテナ部２の両端部が沿う２辺に沿う領域に対向する領域において、その長手方向がＲＦ−ＩＤメディアのその２辺に沿うような形状となって形成されていることになる。
【００５０】
すると、長孔１１１ａ，１１１ｂが、メディア収納領域１５の長辺に沿って、その長手方向が長辺方向の全幅に渡るように形成されていることにより、非接触型ＩＣカード３００のアンテナ部２の端部がこの長孔１１１ａ，１１１ｂに対向することとなり、上記同様の作用が生じることになる。
【００５１】
また、図８に示したように、図１に示した非接触型ＩＣカード１に対してアンテナ部２の向きが９０度回転した非接触型ＩＣカード３００においては、アンテナ部２が、非接触型ＩＣカード３００の短辺に沿う領域に形成されていれば、図３に示したＲＦ−ＩＤメディアホルダー１に収納された場合にアンテナ部２の全体が長孔１１ａ，１１ｂに対向することとなり、上記同様の作用が生じることになる。
【００５２】
なお、上述した実施の形態においては、２枚のシート基材１０ａ，１０ｂのそれぞれに長孔１１ａ，１１ｂ，１１１ａ，１１１ｂが形成されたものを例に挙げて説明したが、本発明のＲＦ−ＩＤメディアホルダーとしては、収納されるＲＦ−ＩＤメディアの一方の面からアンテナまでの厚さによっては、２枚のシート基材のうち、アンテナまでの厚さが薄い側の面に対向するシート基材に長孔が形成されていればよい。そのため、様々な構成のＲＦ−ＩＤメディアに対応するためには、２枚のシート基材のそれぞれに長孔が形成されていることが好ましい。
【００５３】
また、上述した実施の形態においては、メディア収納領域１５に収納されるＲＦ−ＩＤメディアとして、非接触型ＩＣカード１００，２００，３００を例に挙げて説明したが、メディア収納領域１５に収納されるＲＦ−ＩＤメディアはこれに限らず、非接触型ＩＣタグであってもよい。
【符号の説明】
【００５４】
１，１０１    ＲＦ−ＩＤメディアホルダー
２    アンテナ部
２ａ，２ｂ    メアンダパターン
２ｃ，２ｄ    導電領域
２ｅ    短絡部
３    ＩＣチップ
４    樹脂シート
５    インレット
６ａ，６ｂ    カード基材
１０ａ，１０ｂ    シート基材
１１ａ，１１ｂ，１１１ａ，１１１ｂ    長孔
１２    貼り合わせ部
１３    吊り下げ部
１４    開口部
１５    メディア収納領域
１００，２００，３００    非接触型ＩＣカード
【図１】
0005558959.tif 000002
【図２】
0005558959.tif 000003
【図３】
0005558959.tif 000004
【図４】
0005558959.tif 000005
【図５】
0005558959.tif 000006
【図６】
0005558959.tif 000007
【図７】
0005558959.tif 000008
【図８】
0005558959.tif 000009